(57)【要約】  【課題】  電磁石の吸引力特性とバネ負荷特性との不整合を容易に修正することができ、小型化、低消費電力化にも対応できるようにする。  【解決手段】  電磁石ブロックのヨーク１６に吸引、離反される鉄片２２を有する可動ブロックの前記鉄片２２の延出部２２ａを、ヨーク１６から近接する方向に曲げ加工して接点追従（コンタクトフォロー）部における電磁石ブロックの吸引力特性の傾きを調整するようにしている。【選択図】        図６
2005276817.tif 000002
【特許請求の範囲】
【請求項１】
コイルが巻回された鉄心を有する電磁石ブロックと、該電磁石ブロックのヨークに吸引、離反される鉄片を有して前記電磁石ブロックの励磁および消磁によって正逆に回動する可動ブロックと、該可動ブロックに連動する移動体を介して切換え操作される接点機構とを備える電磁リレーであって、
前記正逆の回動のストロークを変えることなく、接点追従（コンタクトフォロー）部における前記電磁石ブロックの吸引力特性の傾きを調整可能な調整部を有することを特徴とする電磁リレー。
【請求項２】
コイルが巻回された鉄心を有する電磁石ブロックと、該電磁石ブロックのヨークに吸引、離反される鉄片を有して前記電磁石ブロックの励磁および消磁によって正逆に回動する可動ブロックと、該可動ブロックに連動する移動体を介して切換え操作される接点機構とを備える電磁リレーであって、
接点追従（コンタクトフォロー）部における前記電磁石ブロックの吸引力特性の傾きを調整可能な調整部を有し、前記可動ブロックと前記電磁石ブロックとは、前記正逆の回動の各ストロークエンドでは、正逆に対応する同一箇所でそれぞれ当接することを特徴とする電磁リレー。
【請求項３】
前記調整部は、前記ヨークと前記鉄片との相対向している磁極面を有し、前記磁極面の対向部分の面積および間隔の少なくともいずれか一方を調整して前記接点追従（コンタクトフォロー）部における前記吸引力特性の傾きを調整する請求項１または２に記載の電磁リレー。
【請求項４】
前記ヨークおよび前記鉄片の少なくともいずれか一方を加工して前記磁極面の対向部分の面積および間隔の少なくともいずれか一方を調整する請求項３に記載の電磁リレー。
【請求項５】
前記調整部は、前記可動ブロックが、前記正逆の回動の各ストロークエンドで前記電磁石にそれぞれ当接する箇所よりも回動端側に延出されて前記ヨークに対向する前記鉄片の第１，第２の延出部である請求項２に記載の電磁リレー。
【請求項６】
前記第１の延出部および前記第２の延出部の少なくともいずれか一方が加工されている請求項５に記載の電磁リレー。
【請求項７】
前記加工が曲げ加工である請求項４または６に記載の電磁リレー。
【請求項８】
前記鉄片の前記第１の延出部および前記第２の延出部の少なくともいずれか一方の肉厚が、残余の部分よりも薄い請求項６または７に記載の電磁リレー。
【請求項９】
前記鉄片を、複数枚重ねた積層構造とした請求項８に記載の電磁リレー。
【請求項１０】
前記第１の延出部および前記第２の延出部の少なくともいずれか一方の境界部分に、曲げ溝を有する請求項７〜９のいずれか１項に記載の電磁リレー。
【請求項１１】
コイルが巻回された鉄心を有する電磁石ブロックと、該電磁石ブロックのヨークに吸引、離反される鉄片を有して前記電磁石ブロックの励磁および消磁によって正逆に回動する可動ブロックと、該可動ブロックに連動する移動体を介して切換え操作される接点機構とを備える電磁リレーの特性調整方法であって、
前記ヨークと前記鉄片との相対向している磁極面の対向部分の面積および間隔の少なくともいずれか一方を調整することにより、前記正逆の回動のストロークを変えることなく、接点追従（コンタクトフォロー）部における前記電磁石ブロックの吸引力特性の傾きを調整することを特徴とする電磁リレーの特性調整方法。
【請求項１２】
前記ヨークおよび前記鉄片の少なくともいずれか一方を加工して前記磁極面の対向部分の面積および間隔の少なくともいずれか一方を調整する請求項１１に記載の電磁リレーの特性調整方法。
【請求項１３】
前記加工が曲げ加工である請求項１２に記載の電磁リレーの特性調整方法。
【請求項１４】
前記電磁石ブロックの吸引力特性を計測するステップと、
計測された吸引力特性を、所要の吸引力特性に調整するのに必要な曲げ加工量を、予め得られた曲げ加工量と吸引力の変化量との相関データに基づいて求めるステップと、
求めた曲げ加工量に従って前記ヨークおよび前記鉄片の少なくともいずれか一方を曲げ加工するステップと、
を備える請求項１３に記載の電磁リレーの特性調整方法。
【発明の詳細な説明】
【技術分野】
【０００１】
本発明は、電磁リレーおよび電磁リレーの特性調整方法に関し、更に詳しくは、吸引力特性とバネ負荷特性との不整合を容易に調整できる電磁リレーおよび電磁リレーの特性調整方法に関する。
【背景技術】
【０００２】
電磁リレーにおいては、構成部品の寸法や特性のばらつきなどによって、電磁石の吸引力特性とバネ負荷特性との不整合、すなわち、図１６に示されるように、動作吸引力特性Ｌ１と復帰吸引力特性Ｌ２との間に、破線で示されるバネ負荷特性Ｌ３が収まらず、いわゆる、２段動作などの特性不良が生じる場合がある。
【０００３】
かかる電磁石の吸引力特性とバネ負荷特性との不整合による特性不良に対して、調整バネを配置してバネ負荷特性を調整するようにしたものがある（例えば、特許文献１参照）。
【特許文献１】特開平２０００−２８５７８２号公報
【発明の開示】
【発明が解決しようとする課題】
【０００４】
一般に、電磁リレーの小型化、低消費電力化を図ろうとすると、電磁石が発生する磁力が小さくなるとともに、要求される精度が厳しくなり、従来では、上述の調整バネ等のバネを調整して対応しているが、小型化、低消費電力化の進展によって、バネによる調整では、対応が困難となり、歩留まりを低下させるといった難点がある。
【０００５】
本発明は、このような実情に着目してなされたものであって、電磁石の吸引力特性とバネ負荷特性との不整合を容易に修正することができ、小型化、低消費電力化にも対応できる電磁リレーおよびその特性調整方法を提供することを目的とする。
【課題を解決するための手段】
【０００６】
本発明では、上記目的を達成するために、次のように構成している。
【０００７】
すなわち、本発明の電磁リレーは、コイルが巻回された鉄心を有する電磁石ブロックと、該電磁石ブロックのヨークに吸引、離反される鉄片を有して前記電磁石ブロックの励磁および消磁によって正逆に回動する可動ブロックと、該可動ブロックに連動する移動体を介して切換え操作される接点機構とを備える電磁リレーであって、前記正逆の回動のストロークを変えることなく、接点追従（コンタクトフォロー）部における前記電磁石ブロックの吸引力特性の傾きを調整可能な調整部を有している。
【０００８】
ここで、移動体は、可動ブロックに連動して複数の接点機構を切り換え操作するものであるのが好ましく、接点機構は、複数のバネ接点を備えるものであるのが好ましい。
【０００９】
本発明によると、調整部を調整することによって、接点追従（コンタクトフォロー）部における吸引力特性の傾きを調整できるので、従来のようにバネを調整することなく、吸引力特性とバネ負荷特性との不整合を修正することができる。
【００１０】
しかも、正逆の回動のストロークを変えることなく、吸引力特性を調整できるので、所望のストローク特性を満足させながら吸引力特性とバネ負荷特性とを整合させることができる。
【００１１】
また、本発明の電磁リレーは、コイルが巻回された鉄心を有する電磁石ブロックと、該電磁石ブロックのヨークに吸引、離反される鉄片を有して前記電磁石ブロックの励磁および消磁によって正逆に回動する可動ブロックと、該可動ブロックに連動する移動体を介して切換え操作される接点機構とを備える電磁リレーであって、接点追従（コンタクトフォロー）部における前記電磁石ブロックの吸引力特性の傾きを調整可能な調整部を有し、前記可動ブロックと前記電磁石ブロックとは、前記正逆の回動の各ストロークエンドでは、正逆に対応する同一箇所でそれぞれ当接するものである。
【００１２】
本発明によると、調整部を調整することによって、接点追従（コンタクトフォロー）部における吸引力特性の傾きを調整できるので、従来のようにバネを調整することなく、吸引力特性とバネ負荷特性との不整合を修正することができる。
【００１３】
しかも、可動ブロックと電磁石ブロックとは、正方向および逆方向の回動の各ストロークエンドでは、それぞれ同一箇所で当接するので、正逆の回動のストロークを維持しながら、吸引力特性を調整できることになり、所望のストローク特性を満足させながら吸引力特性とバネ負荷特性とを整合させることができる。
【００１４】
本発明の好ましい実施態様においては、前記調整部は、前記ヨークと前記鉄片との相対向している磁極面を有し、前記磁極面の対向部分の面積および間隔の少なくともいずれか一方を調整して前記接点追従（コンタクトフォロー）部における前記吸引力特性の傾きを調整するものである。
【００１５】
ここで、ヨークと鉄片との相対向している磁極面は、基準となる状態、例えば、可動ブロックが正方向または逆方向のいずれの方向にも傾いていない中立の状態、すなわち、回動ストロークの中間位置にある状態において、直接相対向している磁極面であるのが好ましい。
【００１６】
また、磁極面の対向部分の面積を調整するとは、例えば、前記ヨークおよび前記鉄片の少なくとも一方の位置をずらして対向する磁極面の面積を調整したり、前記ヨークおよび前記鉄片の少なくとも一方に遮蔽部材を取り付けて対向する面積を調整したりすることをいう。
【００１７】
さらに、磁極面の対向部分の間隔を変更するとは、例えば、対向部分の少なくとも一部を曲げ加工したり、研磨加工して間隔を調整することなどをいう。
【００１８】
この実施態様によると、ヨークと鉄片との相対向している磁極面の面積および間隔の少なくともいずれか一方を調整して接点追従（コンタクトフォロー）部における吸引力特性の傾きを調整するので、従来のようにバネを調整することなく、吸引力特性とバネ負荷特性とを整合させることができる。
【００１９】
また、対向とは、互いに向き合うことをいい、傾斜した状態で向き合ってもよいし、一定間隔で互いに平行に向き合ってもよい。
【００２０】
本発明の一実施態様においては、前記ヨークおよび前記鉄片の少なくともいずれか一方を加工して前記磁極面の対向部分の面積および間隔の少なくともいずれか一方を調整するものである。
【００２１】
ここで、加工には、曲げ、穴あけ、窪み形成、溝形成、トリミング、研磨、レーザ照射などの各種の加工が含まれる。
【００２２】
この実施態様によると、ヨークおよび鉄片の少なくとも一方を加工して電磁石ブロックの吸引力特性を調整するので、従来のようにバネを調整することなく、吸引力特性とバネ負荷特性とを整合させることができる。
【００２３】
本発明の好ましい実施態様においては、前記調整部は、前記可動ブロックが、前記正逆の回動の各ストロークエンドで前記電磁石にそれぞれ当接する箇所よりも回動端側に延出されて前記ヨークに対向する前記鉄片の第１，第２の延出部である。
【００２４】
この実施態様によると、鉄片の第１，第２の延出部の磁極面の面積あるいは前記ヨークとの間隔を調整することにより、吸引力特性を調整できる。
【００２５】
本発明の一実施態様においては、前記第１の延出部および前記第２の延出部の少なくともいずれか一方が加工されている。
【００２６】
この実施態様によると、鉄片の第１の延出部および前記第２の延出部の少なくともいずれか一方を加工して電磁石ブロックの吸引力特性を調整するので、従来のようにバネを調整することなく、吸引力特性とバネ負荷特性とを整合させることができる。
【００２７】
本発明の好ましい実施態様においては、前記加工が曲げ加工である。
【００２８】
この曲げ加工によって、第１の延出部および前記第２の延出部の少なくともいずれか一方は、残余の部分から屈曲しているのが好ましい。
【００２９】
この実施態様によると、ヨークや鉄片を曲げ加工して電磁石ブロックの吸引力特性を調整するので、従来のようにバネを調整することなく、吸引力特性とバネ負荷特性とを整合させることができる。
【００３０】
本発明の一実施態様においては、前記鉄片の前記第１の延出部および前記第２の延出部の少なくともいずれか一方の肉厚が、残余の部分よりも薄いものである。
【００３１】
ここで、残余の部分とは、鉄片の第１，第２の延出部以外の部分をいう。
【００３２】
この実施態様によると、肉厚が薄いので、第１，第２の延出部を容易に曲げ加工することができる。
【００３３】
本発明の他の実施態様においては、前記鉄片を、複数枚重ねた積層構造としている。
【００３４】
この実施態様によると、鉄片を積層構造とし、第１，第２の延出部は、肉厚が薄いので、第１，第２の延出部を容易に曲げ加工することができる。
【００３５】
本発明の好ましい実施態様においては、前記第１の延出部および前記第２の延出部の少なくともいずれか一方の境界部分に、曲げ溝を有している。
【００３６】
ここで、境界部分とは、曲げ加工を行う延出部と残余の部分との境界をいう。
【００３７】
この実施態様によると、曲げ溝に沿って容易に曲げ加工することができる。
【００３８】
本発明の電磁リレーの特性調整方法は、コイルが巻回された鉄心を有する電磁石ブロックと、該電磁石ブロックのヨークに吸引、離反される鉄片を有して前記電磁石ブロックの励磁および消磁によって正逆に回動する可動ブロックと、該可動ブロックに連動する移動体を介して切換え操作される接点機構とを備える電磁リレーの特性調整方法であって、前記ヨークと前記鉄片との相対向している磁極面の対向部分の面積および間隔の少なくともいずれか一方を調整することにより、前記正逆の回動のストロークを変えることなく、接点追従（コンタクトフォロー）部における前記電磁石ブロックの吸引力特性の傾きを調整するものである。
【００３９】
本発明によると、ヨークと鉄片との相対向している磁極面の面積および間隔の少なくともいずれか一方を調整して接点追従（コンタクトフォロー）部における吸引力特性の傾きを調整するので、従来のようにバネを調整することなく、吸引力特性とバネ負荷特性との不整合を修正することができる。
【００４０】
しかも、正逆の回動のストロークを維持しながら、吸引力特性を調整できるので、所望のストローク特性を満足させながら吸引力特性とバネ負荷特性とを整合させることができる。
【００４１】
本発明の好ましい実施態様においては、前記ヨークおよび前記鉄片の少なくともいずれか一方を加工して前記磁極面の対向部分の面積および間隔の少なくともいずれか一方を調整するものである。
【００４２】
この加工は、曲げ加工であるのが好ましい。
【００４３】
この実施態様によると、ヨークおよび鉄片の少なくとも一方を加工して電磁石ブロックの吸引力特性を調整するので、従来のようにバネを調整することなく、吸引力特性とバネ負荷特性とを整合させることができる。
【００４４】
本発明の一実施態様においては、前記電磁石ブロックの吸引力特性を計測するステップと、計測された吸引力特性を、所要の吸引力特性に調整するのに必要な曲げ加工量を、予め得られた曲げ加工量と吸引力の変化量との相関データに基づいて求めるステップと、求めた曲げ加工量に従って前記ヨークおよび前記鉄片の少なくともいずれか一方を曲げ加工するステップとを備えている。
【００４５】
この実施態様によると、予め求めた曲げ加工量と吸引力の変化量との相関データを利用して、調整に必要な曲げ加工量を求めるので、効率的に吸引力特性を調整できる。
【発明の効果】
【００４６】
本発明によれば、ヨークおよび鉄片の少なくとも一方を加工して電磁石ブロックの吸引力特性を調整するので、従来のようにバネを調整することなく、しかも、回動のストロークを変えることなく、吸引力特性を調整して吸引力特性とバネ負荷特性とを整合させることができ、所望のストローク特性を確保しながら、小型化、低消費電力化にも対応できることになる。
【発明を実施するための最良の形態】
【００４７】
以下、図面によって本発明の実施の形態について詳細に説明する。
【００４８】
図１に、本発明に係る電磁リレーの縦断した側面図が示されている。
【００４９】
この電磁リレーは、樹脂成形されたベース１、ベース１に組付けられた多極型の接点機構２、前後方向に直線往復移動可能にベース上部に案内支持された接点切換え用の移動体としてカード３、ベース１の前端部（図では左端部）に組付け固定された電磁石ブロック４、ベース１に横向きの支点ｐを中心に回動自在に支持されて電磁石ブロック４に対向配備されたカード駆動用の可動ブロック５、ベース１に上方から外嵌装着されたカバーケース６、等から構成されており、各部の詳細な構造を次に説明する。なお、以後の説明において、図１における左右方向を前後方向、紙面表裏方向を左右方向と呼称する。
【００５０】
前記ベース１の左右中央には、仕切り壁１ａが立設されており、この仕切り壁１ａの両側にそれぞれ接点機構２が配備されている。仕切り壁１ａの左右両側に配備された前記接点機構２は、同一の仕様であるので、図１に示されている手前側の接点機構２についてのみ説明する。この例の接点機構２は、１組の常閉回路を構成する固定接触片７と可動接触片８、および、２組の常開回路を構成する固定接触片９と可動接触片１０とからなり、それぞれが上向き片持ち状にベース１に圧入止着されるとともに、各接触片７，８，９，１０から延出された端子７ａ，８ａ，９ａ，１０ａがベース１の下面から突出されている。
【００５１】
可動ブロック５に連動する移動体としてのカード３は、仕切り壁１ａの上端部において前後にスライド移動可能に案内支持されており、一対の係止突起３ａを左右齟齬に突設してなる係止部１１に、接点機構２における各可動接触片８，１０の上端が係止支持され、カード３の前後往復移動によって各可動接触片８，１０が前後に変位されて接点切換えが行われるようになっている。このカード３の前端に形成された左右に細長い角形の係合孔２７に、可動ブロック５を構成するブロック本体２１の上端部の係合突起２６が係入され、可動ブロック５の正逆回動によってカード３が前後に往復移動されるようになっている。
【００５２】
なお、このカード３には、ベース１から立設した調整バネ１２の上端が係止されており、この調整バネ１２の弾性力によってカード３に常に電磁石ブロック４の在る方向（前方）への復帰力が付与されている。
【００５３】
前記電磁石ブロック４は、図２にも示されるように、鉄心１３に外嵌した樹脂製のボビン１４にコイル１５を巻回するとともに、鉄心１３の上下両端に両極のヨーク１６をカシメ付け連結して構成されたものであり、各ヨーク１６の屈曲端部に前記可動ブロック５が対向配備される。
【００５４】
コイル１５に接続された一対の端子１７がベース１の下面から突設されており、コイル１５への通電が断たれている非励磁時には、図１に示すように、可動ブロック５は、その上部が前方に復帰回動し、コイル１５へ通電された励磁時には、図３に示すように、可動ブロック５の上部が後方に回動して接点切換えを行う。
【００５５】
可動ブロック５は、図４に示すように、樹脂成形されたブロック本体２１と、これの前面に嵌入止着される鉄片２２と、鉄片２２の前面中央に吸着固定される角ブロック状の永久磁石２３と、鉄片２２の前面上下に取付けられる非磁性金属、例えば、燐青銅からなる遮磁板２４とを備えており、ブロック本体２１に左右から突出された支点軸２５の両端が、ベース１に設けられた左右一対の軸支部に回動自在に挿入支持されるようになっている。遮磁板２４は、カシメピン２８によってカシメ固定されている。
【００５６】
この実施の形態では、電磁石ブロック４の吸引力特性を調整できるようにするために、鉄片２２は、図１の断面図にも示されるように、樹脂製のブロック本体２１から上下に延出する調整部としての延出部（先端部）２２ａ，２２ｂが、薄肉に形成されており、この薄肉の延出部２２ａ，２２ｂを、対向するヨーク１６から離反する方向あるいは近接する方向に容易に曲げ加工できるように構成されている。
【００５７】
すなわち、この実施の形態では、例えば、図５に示されるように、可動ブロック５が電磁石ブロック４に対して平行となる中立姿勢にある中立状態においては、電磁石ブロック４のヨーク１６と可動ブロック５の鉄片２２の磁極面が直接相対向しており、この相対向する磁極面の一部である上下の延出部２２ａ，２２ｂの少なくとも一方を曲げ加工し、前記磁極面の対向部分の面積および間隔の少なくともいずれか一方を調整するものである。
【００５８】
これによって、正逆の回動ストロークを変えることなく、接点追従（コンタクトフォロー）部における電磁石ブロック４の吸引力特性の傾きを調整することができる。
【００５９】
電磁石ブロック４のヨーク１６と可動ブロック５の鉄片２２の対向する磁極面は、電磁石ブロック４で発生する磁束の流れを遮るような面となっている。
【００６０】
上述の中立状態においては、可動ブロック５が、直線方向に移動するカード３に対して、正方向または逆方向のいずれの方向にも傾いていない状態であり、回動のストロークの中間位置にあり、可動ブロック５が、カード３に対して直交する状態となっており、ヨーク１６と鉄片２２の磁極面が、一定の間隔で直接相対向している。
【００６１】
この実施の形態では、上下の延出部２２ａ，２２ｂを、接点追従（コンタクトフォロー）部における電磁石ブロック４の吸引力特性の傾きを調整する調整部としているが、他の実施の形態として、延出部２２ａ，２２ｂ以外、あるいは、延出部２２ａ，２２ｂを含むヨーク１６と鉄片２２との相対向している磁極面を調整部とし、この磁極面の対向部分の面積および間隔の少なくともいずれか一方を調整するようにしてもよい。
【００６２】
なお、中立状態を基準にして説明したが、必ずしも中立状態に限る必要はない。
【００６３】
この実施の形態によれば、図６の一部拡大断面図に示されるように、例えば、鉄片２２の上側の延出部２２ａを、矢符Ａで示されるようにヨーク１６に近接する方向に曲げ加工することにより、例えば、図７の太い実線Ｌ１，Ｌ２で示される動作側および復帰側の接点追従（コンタクトフォローＣＦ）部における吸引力特性の低い側の傾きを、細い実線Ｌ１’，Ｌ２’で示されるように変化させることができ、吸引力最小値を調整することができる。
【００６４】
具体的には、曲げ加工における曲げ角度θを、大きくすると、吸引力最小値の値を下げることができる。この曲げ角度θは、例えば、０°〜３０°程度であるのが好ましい。
【００６５】
同様に、鉄片２２の下側の延出部２２ｂを、ヨーク１６に近接する方向に曲げ加工することにより、図７の太い実線Ｌ１，Ｌ２で示される動作側および復帰側の接点追従（コンタクトフォローＣＦ）部における吸引力特性の高い側の傾きを、細い実線Ｌ１’，Ｌ２’で示されるように変化させることができ、吸引力最大値を調整することができる。
【００６６】
具体的には、曲げ加工における曲げ角度θを、大きくすると、吸引力最大値の値を上げることができる。
【００６７】
これによって、バネ負荷特性が動作吸引力特性と復帰吸引力特性との間に、収まらないような場合には、鉄片２２の上側および下側の延出部２２ａ，２２ｂの少なくとも一方を、曲げ加工して接点追従（コンタクトフォローＣＦ)部における吸引力特性の傾きを調整してバネ負荷特性を、動作吸引力特性と復帰吸引力特性との間に、収めることができる。
【００６８】
この曲げ加工によって、延出部２２ａ，延出部２２ｂは、平面状の鉄片２２の残余の部分から屈曲した形状となる。
【００６９】
なお、図７において、ＣＧは、接点間隔（コンタクトギャップ）を示している。
【００７０】
このように、鉄片２２の上側および下側の延出部２２ａ，２２ｂの少なくとも一方を、曲げ加工して吸引力特性を調整して吸引力特性とバネ負荷特性とを容易に整合させることができ、調整バネ等のバネ負荷特性を調整する従来例に比べて、小型化にも容易に対応できることになる。
【００７１】
特に、この実施の形態の電磁リレーは、安全回路に好適に用いられる、いわゆるセーフティリレーであり、可動ブロック５の回動によって移動体としてのカード３を介して複数のバネ機構を動作させるので、バネ負荷特性を調整して整合させようとすると、複数のバネ相互の整合と同時に、複数のバネを段階的に変化させて調整する必要があり、生産性が低下することになるが、この実施の形態では、コンタクトフォロー(ＣＦ)部における吸引力特性の傾きを調整して吸引力特性とバネ負荷特性とを整合させるので、バネ負荷特性を調整する場合に比べて、生産性を高めることができる。
【００７２】
また、可動ブロック５は、例えば、正方向のストロークエンドまで回動したときには、図６に示すように、電磁石ブロック４の上側のヨーク１６のエッジ部分に、遮磁板２４の上部が当接し、鉄片２２とヨーク１６との間に所要の遮磁間隔が確保される。
【００７３】
同様に、可動ブロック５は、逆方向のストロークエンドまで回動したときには、電磁石ブロック４の下側のヨーク１６のエッジ部分に、遮磁板２４の下部が当接し、鉄片２２とヨーク１６との間に所要の遮磁間隔が確保される。
【００７４】
このように、可動ブロック５は、その正逆の回動のストロークエンドにおいて、電磁石ブロック４の上側および下側のヨーク１６の同一箇所に、遮磁板２４の上部および下部の同一箇所が当接するように構成されており、この当接箇所よりも上下に延びる延出部２２ａ，２２ｂの曲げ加工の有無に拘わらず、常の一定の回動ストロークが確保されるように構成されている。
【００７５】
したがって、所望のストローク特性を満足させながら、延出部２２ａ，２２ｂの曲げ加工を行って接点追従（コンタクトフォロー）部における吸引力特性の傾きを調整して吸引力特性とバネ負荷特性とを整合できることになる。
【００７６】
このため、ストロークを短くして吸引力特性とバネ負荷特性とを整合させる場合のように、接点追従（コンタクトフォロー）が短くなって接触力が低下し、接点の接触不良が生じるといった不具合が発生することもない。
【００７７】
次に、この実施の形態の電磁リレーの特性調整方法について、更に詳細に説明する。
【００７８】
この実施の形態では、予め、同一仕様の電磁リレーについて、鉄片２２の上側の延出部２２ａの曲げ加工量である曲げ角度と吸引力の変化量とを計測して相関データを準備する。
【００７９】
すなわち、図８（ａ）に示されるように、鉄片２２の上側の延出部２２ａの曲げ角度を変えて吸引力特性を計測し、図８（ｂ）に示される鉄片２２の上側の延出部２２ｂの曲げ加工量である曲げ角度(°)と吸引力の変化量(ｇ)との相関データを得るものである。ここで、吸引力の変化量は、例えば、上述の図７の最小のストロークにおける吸引力の変化量である。
【００８０】
同様に、図９に示されるように、鉄片２２の下側の延出部２２ｂの曲げ加工量である曲げ角度(°)と吸引力の変化量(ｇ)とを計測して相関データを準備する。
【００８１】
吸引力の変化量は、例えば、上述の図７の最大のストロークにおける吸引力の変化量である。
【００８２】
このようにして、予め、曲げ加工量とストロークの変化量との相関データを準備する。
【００８３】
あるいは、図１０および図１１に示すように、鉄片２２の上側の延出部２２ａおよび下側の延出部２２ｂを、上述とは逆方向、すなわち、ヨーク１６から離反する方向に曲げ加工し、予め、曲げ加工量とストロークの変化量との相関データを準備する。
【００８４】
次に、図１２に示されるように、特性を調整する電磁リレーについて、動作電圧および復帰電圧を印加して吸引力計測器２９を用いて吸引力特性を計測する。なお、この図１２においては、鉄片２２の上側の延出部２２ａおよび下側の延出部２２ｂを、ヨーク１６から離反する方向に曲げ加工する場合について説明するが、ヨーク１６へ近接する方向に曲げ加工する場合もその手順は、同様である。
【００８５】
計測した動作吸引力特性と復帰吸引力特性との間に、バネ負荷特性を収めるのに必要な吸引力の変化量を算出する。この吸引力の変化量の算出は、必要に応じて、鉄片２２の上下の延出部２２ａ，２２ｂの両者について行う。
【００８６】
次に、算出した吸引力の変化量に対応する曲げ加工量である曲げ角度を、予め準備した上述の相関データから算出する。
【００８７】
次に、修正装置３０を用いて、可動ブロック５の鉄片２２の延出部２２ａ，２２ｂを、算出した曲げ角度までそれぞれ順番に曲げ加工する。
【００８８】
この修正装置３０は、鉄片２２を支える支持部３１と、鉄片２２の延出部２２ａ，２２ｂを押圧して曲げ加工する加工部３２とを備えており、図１２の部分拡大図に示されるように、鉄片２２の部分を支持した状態で、例えば、延出部２２ａを矢符Ｂで示されるように押圧して曲げ加工を行う。
【００８９】
その後、吸引力計測器２９を用いて再び吸引力特性を計測し、動作吸引力特性と復帰吸引力特性との間に、バネ負荷特性が収まったことを確認して終了する。なお、動作吸引力特性と復帰吸引力特性との間に、バネ負荷特性が収まっていないときには、調整を繰り返す。
【００９０】
なお、バネ材料のロット変動の情報などによって、予め曲げ角度が分かる場合には、可動ブロック５の鉄片２２を先に曲げ加工し、その後に可動ブロック５と電磁石ブロック４と組み立て、その後に吸引力特性を計測するようにしてもよい。
【００９１】
（その他の実施の形態）
上述の実施の形態では、鉄片２２は、上下の延出部２２ａ，２２ｂを薄く形成したものを用いたけれども、本発明の他の実施の形態として、図１３に示されるように、２層構造の鉄片を用い、一層の鉄片の端部を、延出部２２ａ，２２ｂとしてもよい。
【００９２】
また、本発明の他の実施の形態として、図１４に示されるように、鉄片２２の上下の延出部２２ａ，２２ｂに曲げ溝３３ａ，３３ｂを形成し、この曲げ溝３３ａ，３３ｂに沿って容易に曲げ加工できるようにしてもよい。この曲げ溝３３は、図１４に示すように、ヨーク１６に対向する側の面に限らず、対面する側とは逆の面に設けてもよい。
【００９３】
さらに、本発明の他の実施の形態として、図１５に示されるように、上下の各ヨーク１６の屈曲した対向する部分に曲げ溝３４をそれぞれ形成し、この曲げ溝３４に沿ってヨーク１６の先端部分を、矢符Ｃで示されるように曲げ加工して、吸引力特性を調整してもよい。
【００９４】
上述の実施の形態では、鉄片およびヨークの少なくとも一方を曲げ加工して吸引力特性を調整したけれども、曲げ加工に限らず、例えば、鉄片およびヨークの対向する部分に、凹部や窪みを形成してもよく、予め磁性めっきを施した鉄片の磁性めっきをトリミング加工し、あるいは、レーザや熱によって吸引力特性を調整するようにしてもよい。
【産業上の利用可能性】
【００９５】
本発明は、電磁リレーとして有用である。
【図面の簡単な説明】
【００９６】
【図１】本発明に係る電磁リレーの消磁状態での縦断側面図ある。
【図２】電磁石ブロックの斜視図である。
【図３】励磁状態における要部を示す側面図である。
【図４】可動ブロックの斜視図である。
【図５】作動中立状態における要部を示す側面図である。
【図６】曲げ加工を示す要部の縦断側面図である。
【図７】吸引力特性を示す図である。
【図８】鉄片の上側の先端部分の曲げ角度と吸引力の変化量との相関データを示す図である。
【図９】鉄片の下側の先端部分の曲げ角度と吸引力の変化量との相関データを示す図である。
【図１０】鉄片の上側の先端部分の曲げ角度と吸引力の変化量との相関データを示す図である。
【図１１】鉄片の下側の先端部分の曲げ角度と吸引力の変化量との相関データを示す図である。
【図１２】特性調整の方法を示す概略構成図である。
【図１３】本発明の他の実施の形態の要部の側面図である。
【図１４】本発明の更に他の実施の形態の要部の側面図である。
【図１５】本発明の他の実施の形態の要部の側面図である。
【図１６】吸引力特性およびバネ負荷特性を示す図である。
【符号の説明】
【００９７】
１        ベース                    ２        接点機構
４        電磁石ブロック            ５        可動ブロック
１６      ヨーク  本体              ２２      鉄片
２２ａ，２２ｂ  先端部分            ２４      遮磁板
３３ａ，３３ｂ  曲げ溝
【図１】
2005276817.tif 000003
【図２】
2005276817.tif 000004
【図３】
2005276817.tif 000005
【図４】
2005276817.tif 000006
【図５】
2005276817.tif 000007
【図６】
2005276817.tif 000008
【図７】
2005276817.tif 000009
【図８】
2005276817.tif 000010
【図９】
2005276817.tif 000011
【図１０】
2005276817.tif 000012
【図１１】
2005276817.tif 000013
【図１２】
2005276817.tif 000014
【図１３】
2005276817.tif 000015
【図１４】
2005276817.tif 000016
【図１５】
2005276817.tif 000017
【図１６】
2005276817.tif 000018